(57)【要約】【課題】衛生的で、処理作業が容易で、さらに、室内犬や猫が、真っ暗闇の中でも正確な場所に排泄することのできる糞尿処理具を提供する。【解決手段】液体吸収シート３の下面に防水シート４をラミネートしたシート本体２を所定形状に形成し、シート本体２が合致する窪みを有する枠付受具５の周囲枠５ａ上面に蓄光物質を配置し、シート本体２上面の中央を糞尿排泄箇所２ａとする。蓄光物質は、明るいとき吸収した光を、暗くなると発光する。【選択図】      図１
0003114351.tif 000002
【実用新案登録請求の範囲】
【請求項１】
液体吸収シート（３）の下面に防水シート（４）をラミネートしたシート本体（２）を所定形状に形成し、前記シート本体が合致する窪みを有する枠付受具５の周囲枠５ａ上面に蓄光物質を配置し、前記シート本体上面の中央を糞尿排泄箇所（２ａ）としてなる犬猫ペットの糞尿処理具。
【請求項２】
液体吸収シート（３）の下面に防水シート（４）をラミネートしたシート本体（２）を所定形状に形成し、前記シート本体が合致する窪みを有する枠付受具５の周囲枠５ａ上面に，蓄光物質を貼付けまたは吹付け塗装により断続的または連続的に配置し、前記シート本体上面の中央を糞尿排泄箇所（２ａ）としてなる犬猫ペットの糞尿処理具。
【請求項３】
液体吸収シート（３）の下面に防水シート（４）をラミネートしたシート本体（２）を所定形状に形成し、前記シート本体が合致する窪みを有する枠付受具５の周囲枠５ａ上面の少なくとも四隅に，蓄光物質（Ｍ）を固着または脱着可能に配置し、前記シート本体上面の中央を糞尿排泄箇所（２ａ）としてなる犬猫ペットの糞尿処理具。
【請求項４】
液体吸収シート（３）の下面に防水シート（４）をラミネートしたシート本体（２）を所定形状に形成し、前記シート本体が合致する窪みを有する無蓋箱状の受具本体７ａの上端に，外方に張り出す鍔状で，かつ蓄光物質を含有するフランジ枠体７ｂを嵌合固定し、前記シート本体上面の中央を糞尿排泄箇所（２ａ）としてなる犬猫ペットの糞尿処理具。
【請求項５】
シート本体（２）を平面多角形状に設定してなる請求項１乃至４のいずれかに記載の犬猫ペットの糞尿処理具。
【考案の詳細な説明】
【技術分野】
【０００１】
本考案は、主として、室内に設置して、ペットである室内犬や猫の糞尿を衛生的かつ容易に処理するための処理具に関するものである。
【背景技術】
【０００２】
マルチーズやプードルなどの主として室内で飼育される各種の室内犬や猫は、一般に、夜、室内で運動し、早朝に排泄する。また、その量は、例えば小型犬や猫の場合は、少量である。また、室内犬などは、子犬のときに躾をすることによって、同一場所で排泄をするようになる。
【０００３】
こうしたことから、通常、室内犬や猫の排泄場所を、所定の床上に防水シートを敷き、その上に新聞紙を置いて設けている場合が多い。この上に排泄された尿は、新聞紙で吸収させ、便は、当該新聞紙でくるんで捨てて処理している。
【考案の開示】
【考案が解決しようとする課題】
【０００４】
しかし、こうした従来の方法では、新聞紙が尿を完全に吸収することができないので不衛生である。また、便を処理する場合、新聞紙を防水シートから離し、当該新聞紙のみで糞尿をくるむので衛生的ではない。さらに、その際、新聞紙を防水シートから離す作業を必要とするので、その処理作業が面倒である。また、夜中などにおいて、排泄場所が真っ暗闇の場合は、室内犬が誤って新聞紙の周囲に糞尿をする場合もある。
【０００５】
本考案はこうした問題に鑑み創案されたもので、衛生的で、処理作業が容易で、さらに、室内犬や猫が、真っ暗闇の中でも正確な場所に排泄することのできる糞尿処理具を提供することを課題とする。
【課題を解決するための手段】
【０００６】
図１乃至図９を参照して説明する。請求項１に記載の犬猫ペットの糞尿処理具１は、液体吸収シート３の下面に防水シート４をラミネートしたシート本体２を所定形状に形成し、前記シート本体２が合致する窪みを有する枠付受具５の周囲枠５ａ上面に蓄光物質を配置し、前記シート本体２上面の中央を糞尿排泄箇所２ａとしてなるものである。
【０００７】
なお、蓄光物質とは、明るいとき吸収した光を、暗くなると発光する物質を言い、原料は鉱石で、製品状態では液状、粉状あるいは粒状を成す。
【０００８】
請求項２に記載の犬猫ペットの糞尿処理具１は、液体吸収シート３の下面に防水シート４をラミネートしたシート本体２を所定形状に形成し、前記シート本体２が合致する窪みを有する枠付受具５の周囲枠５ａ上面に、蓄光物質を、貼付けまたは吹付け塗装により断続的または連続的に配置し、前記シート本体２上面の中央を糞尿排泄箇所２ａとしてなるものである。
【０００９】
請求項３に記載の犬猫ペットの糞尿処理具１は、液体吸収シート３の下面に防水シート４をラミネートしたシート本体２を所定形状に形成し、前記シート本体２が合致する窪みを有する枠付受具５の周囲枠５ａ上面の少なくとも四隅に、蓄光物質Ｍを固着または脱着可能に配置し、前記シート本体２上面の中央を糞尿排泄箇所２ａとしてなるものである。
【００１０】
請求項４に記載の犬猫ペットの糞尿処理具１は、液体吸収シート３の下面に防水シート４をラミネートしたシート本体２を所定形状に形成し、前記シート本体２が合致する窪みを有する無蓋箱状の受具本体７ａの上端に、外方に張り出す鍔状で、かつ蓄光物質を含有するフランジ枠体７ｂを嵌合固定し、前記シート本体２上面の中央を糞尿排泄箇所２ａとしてなるものである。
【００１１】
請求項５に記載の犬猫ペットの糞尿処理具１は、請求項１乃至４のいずれかに記載の考案において、シート本体２を平面多角形状に設定してなるものである。
【考案の効果】
【００１２】
請求項１の考案の犬猫ペットの糞尿処理具１は、衛生的で、処理作業が容易で、さらに、室内犬や猫が真っ暗闇の中でも糞尿排泄箇所２ａに正確に排泄することができる。
【００１３】
すなわち、液体吸収シート３は新聞紙と異なり吸水性に富むので、室内犬や猫の尿の全てを吸収することができ、衛生的である。また、便を処理する場合は、液体吸収シート３のみではなく、防水シート４を含んだシート本体２の全体でくるむので衛生的である。また、その際、液体吸収シート３を防水シート４から分離する作業を必要としないので処理作業が容易である。
【００１４】
さらに、シート本体２が合致する窪みを有する枠付受具５の周囲枠５ａの上面に蓄光物質を配置しているので、当該蓄光物質が発光し、室内犬や猫が真っ暗闇の中でも糞尿排泄箇所２ａを容易に視認することができる。従って、糞尿排泄箇所２ａに正確に排泄することができる。
【００１５】
また、シート本体２を、枠付受具５の窪みに合致させるので、液体吸収シート３に吸収された糞尿は、防水シート４のみでなく、この枠付受具５の底壁によっても漏出が阻止される。従って、糞尿が床などに付着してしまうことがない。
【００１６】
請求項２の室内犬・猫の糞尿処理具１は、請求項１の考案と同様に、衛生的で、処理作業が容易である。また、枠付受具５の周囲枠５ａの上面に、蓄光物質を貼付けまたは吹付け塗装によって断続的または連続的に配置しているので、この蓄光物質の発光によって、犬や猫は真っ暗闇の中でも糞尿排泄箇所２ａに正確に排泄することができる。
【００１７】
請求項３の犬猫ペットの糞尿処理具１は、請求項１および２の考案と同様に、衛生的で、処理作業が容易である。また、枠付受具５の周囲枠５ａの上面の少なくとも四隅に蓄光物質を固着または脱着可能に配置しているので、犬や猫は真っ暗闇の中でも糞尿排泄箇所２ａに正確に排泄することができる。
【００１８】
なお、蓄光物質を脱着可能とする場合は、例えば、当該蓄光物質をシート片に含有させ、当該シート片を、例えば面ファスナーで取付けることができる。
【００１９】
請求項４の犬猫ペットの糞尿処理具１は、同様に、衛生的で処理作業が容易である。また、受具本体７ａの上端に嵌合するフランジ枠体７ｂに蓄光物質を含有させているので、当該蓄光物質が発光することによって、犬や猫は、中央の糞尿排泄箇所２ａに正確に排泄することができる。
【００２０】
なお、このフランジ枠体７ｂは、その成形材料（例えば樹脂材）に蓄光物質を混入させた後、成形するものである。この蓄光物質は、フランジ枠体７ｂのみに混入し、受具本体７ａには混入していないので、材料費の節減を図り、製造コストを廉価に抑えることができるといった利点がある。
【００２１】
請求項５に記載の犬猫ペットの糞尿処理具１は、シート本体２を平面多角形状に設定しているので、例えば、特に、平面四角形状に設定すると、液体吸収シート３と防水シート４を形成する各材料を、円形などに形成するのと比較して、切れ端が生じないので、無駄なく使用することができる。従って、製造コストの低廉化を図ることができる。
【考案を実施するための最良の形態】
【００２２】
本考案に係る犬猫ペットの糞尿処理具１の第一実施形態を、図１および図２に示す。これは、液体吸収シート３の下面に防水シート４をラミネートしたシート本体２を平面長方形に形成し、シート本体２が合致する窪みを有する枠付受具５の周囲枠５ａ上面に、蓄光物質を吹付け塗装により連続的に配置したものである。そして、シート本体２上面の中央を糞尿排泄箇所２ａとしている。
【００２３】
なお、蓄光物質は、図３に示すように、周囲枠５ａの上面に貼付けによって断続的に配置することができる。この場合、蓄光物質をシート片に混合し、そのシート片を周囲枠５ａに貼り付けることができる。図示は省略するが、シート片５を、四辺中の三辺にコ字状に貼り付け、他の一辺は貼り付けない形状にすれば、夜光らない一辺が入口を意味し、光を跨ぐのが嫌いな性格を有するペットにとっても容易に糞尿排泄箇所２ａに達することが出来る。
【００２４】
本実施形態に係る糞尿処理具１にあって、液体吸収シート３は新聞紙と異なり吸水性に富むので、室内犬や猫の尿の全てを吸収することができ、衛生的である。また、便を処理する場合は、液体吸収シート３のみではなく、防水シート４を含んだシート本体２の全体でくるむので衛生的である。また、その際、液体吸収シート３を防水シート４から分離する作業を必要としないので処理作業が容易である。
【００２５】
また、シート本体２が合致する窪みを有する枠付受具５の周囲枠５ａの上面に蓄光物質を配置しているので、室内犬や猫が真っ暗闇の中でも糞尿排泄箇所２ａを容易に視認することができる。従って、糞尿排泄箇所２ａに正確に排泄することができる。
【００２６】
また、シート本体２を、枠付受具５の窪みに合致させる（配置する）ので、液体吸収シート３に吸収された糞尿は、防水シート４のみでなく、この枠付受具５の底壁によっても漏出が阻止される。従って、糞尿が床などに付着してしまうのを、より確実に防止することができる。
【００２７】
なお、本実施形態におけるシート本体２は、３０ｃｍ×４０ｃｍ程度の平面長方形で５ｍｍ程度の肉厚を有するが、本考案のシート本体２はこれに限定されるものではなく、その形状や大きさおよび肉厚は、犬や猫の大きさなどによって適宜決定することができる。
【００２８】
本考案に係る犬猫ペットの糞尿処理具１の第二実施形態を、図４および図５に示す。これは、液体吸収シート３の下面に防水シート４をラミネートしたシート本体２を平面四角形状に形成している。また、シート本体２が合致する窪みを有する枠付受具５の周囲枠５ａ上面の少なくとも四隅に、蓄光物質Ｍを脱着可能に配置している。そして、シート本体２の中央を糞尿排泄箇所２ａとしている。
【００２９】
なお、本実施形態においては、蓄光物質をシート片に混入させ、そのシート片を面ファスナーによって、周囲枠５ａに脱着可能に配置しているが、これに代えて、蓄光物質のみを周囲枠５ａに固着させることもできる。
【００３０】
この糞尿処理具１は、第一実施形態と同様に、衛生的で、処理作業が容易である。また、枠付受具５の周囲枠５ａの上面の少なくとも四隅に蓄光物質を固着または脱着可能に配置しているので、犬や猫は真っ暗闇の中でも糞尿排泄箇所２ａに正確に排泄することができる。
【００３１】
本考案に係る犬猫ペットの糞尿処理具１の第三実施形態を、図６および図７に示す。これは、液体吸収シート３の下面に防水シート４をラミネートしたシート本体２を所定形状に形成し、シート本体２が合致する窪みを有する無蓋箱状の受具本体７ａの上端に、外方に張り出す鍔状で、かつ蓄光物質を含有するフランジ枠体７ｂを嵌合固定したものである。そして、シート本体２上面の中央を糞尿排泄箇所２ａとしている。
【００３２】
なお、このフランジ枠体７ｂは、その成形材料である合成樹脂材に蓄光物質を混入し後、成形したものである。また、受具本体７ａも、同一の合成樹脂材によって成形している（蓄光物質は混入していない）。
【００３３】
この糞尿処理具１は、同様に、衛生的で処理作業が容易である。また、受具本体７ａの上端に嵌合するフランジ枠体７ｂに蓄光物質を含有させているので、当該蓄光物質が発光することによって、犬や猫は、中央の糞尿排泄箇所２ａに正確に排泄することができる。また、この蓄光物質は、フランジ枠体７ｂのみに混入し、受具本体７ａには混入していないので、材料費の節減を図り、製造コストを廉価に抑えることができる。
【００３４】
この実施形態において、受具本体７ａとフランジ枠体７ｂとの嵌合は、特に限定されるものではないが、図８乃至図１０に示すような構成とすることができる。すなわち、受具本体７ａの周囲壁７ｃに外壁凹溝７ｄと内壁凹溝７を断続的に形成すると共に、フランジ枠体７ｂにそれらに対応した外脚片７ｆと外鈎部７ｇおよび内脚片７ｈと内鈎部７ｉを形成し、それらを係合させることによって構成することができる。
【実施例】
【００３５】
蓄光物質を吹付け塗装した図１のものについて、午後１１時迄蛍光灯の照明下に置き、午後１１時から午前５時迄暗闇に置いたところ、午前５時の時点で人間の目に目視することの出来る明るさが残存していた。
【図面の簡単な説明】
【００３６】
【図１】本考案に係る糞尿処理具の第一実施形態を示す平面図である。
【図２】図１のＡ−Ａ線断面図である。
【図３】本考案の第一実施形態の他の態様を示す平面図である。
【図４】本考案に係る糞尿処理具の第二実施形態を示す平面図である。
【図５】図４のＢ−Ｂ線拡大断面図である。
【図６】本考案に係る糞尿処理具の第三実施形態を示す平面図である。
【図７】図６のＣ−Ｃ線断面図である。
【図８】本考案の第三実施形態における他の態様を示す平面図である。
【図９】図８のＤ−Ｄ線断面図である。
【図１０】図７のＥ−Ｅ線断面図である。
【符号の説明】
【００３７】
１        糞尿処理具
２        シート本体
２ａ      糞尿排泄箇所
３        液体吸収シート
４        防水シート
５        枠付受具
５ａ      周囲枠
７ａ      受具本体
７ｂ      フランジ枠体
７ｃ      周囲壁
７ｄ      外壁凹溝
７ｅ      内壁凹溝
７ｆ      外脚片
７ｇ      外鈎部
７ｈ      内脚片
７ｉ      内鍔部
８        シート片
９        面ファスナー
Ｈ        窪み
Ｍ        蓄光物質
【図１】
0003114351.tif 000003
【図２】
0003114351.tif 000004
【図３】
0003114351.tif 000005
【図４】
0003114351.tif 000006
【図５】
0003114351.tif 000007
【図６】
0003114351.tif 000008
【図７】
0003114351.tif 000009
【図８】
0003114351.tif 000010
【図９】
0003114351.tif 000011
【図１０】
0003114351.tif 000012